(57)【要約】  本発明は、接触器（１０）であって、磁石駆動装置（２６）を収容するハウジング下部（１２）と、主コンタクトと、主端子（１８）を収容するハウジング上部（１３）と、接続モジュール（３０）とが設けられており、この接続モジュール（３０）が、前記磁石駆動装置（２６）の磁石コイル（２８）に接続可能な制御端子（４０）を有している形式のものに関する。解決したい課題は、制御導体の接続を、主導電体が既に接続されている場合に簡易化することである。このためには、ハウジング上部（１３）はハウジング側部（１６）の前側に、後方へ引き込まれた段部（１９）を有しており、この段部（１９）内には接続モジュール（３０）が固定可能である。接続端子（４０）は、ハウジング前部（１５）の方向に見て主端子（１８）の平面の前に位置している。接続モジュール（３０）から主ハウジング（１１）内へ突入する接続導体（４１）が、制御端子（４０）と、ハウジング下部（１２）内に位置しており磁石コイル（２８）に接続された制御ブシュ（４５）とを接続する。
2007523453.tif 000002
【特許請求の範囲】
【請求項１】
接触器であって、該接触器に、
ハウジング下部（１２）とハウジング上部（１３；５３）とを有する主ハウジング（１１；５１）が設けられており、ハウジング下部（１２）により少なくとも部分的に磁石駆動装置（２６）が収容されており、かつハウジング上部（１３；５３）により主コンタクト並びに主端子（１８；５８）が収容されており、
接続モジュール（３０；７０）が設けられており、該接続モジュール（３０；７０）が、磁石駆動装置（２６）の磁石コイル（２８；６８）に接続可能な制御端子（４０；８０）を有しており、前記接続モジュール（３０；７０）の、制御端子（４０；８０）のための制御接続開口（３２；７２）により規定される制御接続側（３１；７１）が、主端子（１８；５８）のための主接続開口（２２；６２）により規定される、主ハウジング（１１；５１）の主接続側（２０；６０）に対して平行に延びており、前記接続モジュール（３０；７０）が、ハウジング前部（１５；５５）に対して垂直方向に、工具のためにアクセス可能な、制御端子（４０；８０）のための操作開口（３３；７３）を有している形式のものにおいて、
ハウジング上部（１３；５３）が、ハウジング前部（１５；５５）に対して垂直方向にも主接続側（２０；６０）に対して垂直方向にも延びるハウジング側部（１６；５６）で、段部（１９；５９）の形成下に後方へ引き込まれており、
接続モジュール（３０；７０）が、段部（１９；５９）を少なくとも部分的に充填する形でハウジング上部（１３；５３）に固定可能になっており、制御端子（４０；８０）が、ハウジング前部（１５；５５）の方向に見て、主端子（１８；５８）の平面の前に位置しており、
接続モジュール（３０；７０）から主ハウジング（１１；５１）内へ突入する接続導体（４１；８１）が、制御端子（４０；８０）と、ハウジング下部（１２）内に位置しており磁石コイル（２８；６８）に接続された制御ブシュ（４５；８５）とを接続する、
ことを特徴とする、接触器。
【請求項２】
接続モジュール（３０；７０）が、前側の操作開口（３３；７３）を有するカバー部分（３５；７５）とベース（３４；７４）とを有しており、該ベース（３４；７４）から接続導体（４１；８１）が裏側で外側へ出ており、ベース（３４；７４）とカバー部分（３５；７５）とが、該ベース（３４；７４）とカバー部分（３５；７５）との間に位置する制御端子（４０；８０）の固定下に、互いに結合可能である、請求項１記載の接触器。
【請求項３】
カバー部分（３５；７５）とベース（３４；７４）とが係止可能である、請求項１又は２記載の接触器。
【請求項４】
互いに結合されたカバー部分（３５；７５）とベース（３４；７４）との間に、制御接続開口（３２；７２）が設けられている、請求項２又は３記載の接触器。
【請求項５】
制御端子（４０）が、条片状に形成された接続導体（４１）と一体的に接続されている、請求項１から４までのいずれか１項記載の接触器。
【請求項６】
制御端子（８０）が、条片状に形成された接続導体（８１）の制御端子側の導体端部（８７）を収容するための爪状のナイフ形ブシュ（８６）へ移行する、請求項１から４までのいずれか１項記載の接触器。
【請求項７】
制御端子（４０；８０）から、ブシュ状の切欠き（４３；８３）を有する延長部（４２；８２）が出ており、前記切欠き（４３；８３）が、前側でカバー部分（３５；７５）内に形成された、接続モジュール（３０；７０）に取り付けるための付加モジュール（９０）のための差込み開口（４４；８４）と揃っている、請求項１から６までのいずれか１項記載の接触器。
【発明の詳細な説明】
【技術分野】
【０００１】
本発明は、請求項１の上位概念部に記載の電磁的な接触器に関する。
【０００２】
従来技術
ドイツ連邦共和国特許公開第１９９３９０２０号明細書により接触器が公知である。この接触器は、絶縁性の成形材料から成るそれぞれ１つのハウジング下部とハウジング上部とを有している。ハウジング下部内には、不動の磁石ヨーク、この磁石ヨークに対して可動な磁石アンカ及び磁石ヨークを環状係合する磁石コイルが配置されている。ハウジング上部内には、磁石アンカに接続されたコンタクトブリッジと、これらのコンタクトブリッジに接続可能かつ接続解除可能な固定コンタクトとから成る主コンタクトと、固定コンタクトに導電性に接続された主端子と、コイル端部に導電性に接続された制御端子とが配置されている。制御端子は、ハウジング前部の方向に見て、主端子の平面の後方の平面に配置されている。接触器の配線時には、通常のようにまず厚く柔軟ではない主導電体が制御端子に接続され、次いでこれよりも著しく薄い制御導体が制御端子に接続される。これらの制御端子が、覆う主導電体により人間工学的にアクセスしにくいことが欠点である。
【０００３】
ドイツ連邦共和国特許第１９８１４４３２号明細書にも、Hauptkatalog 2002 "Industrie-Scahltgeraete" der Fa. Moeller GmbH, S. 06/006, 020 f. にも、磁石駆動装置を収容するハウジング下部と、主コンタクトと、主端子を収容するハウジング上部とを有する、上位概念部の接触器が示されている。ハウジング下部の角隅縁部には、磁石駆動装置の種々異なった制御可能性を可能にするための制御端子Ａ１，Ａ２若しくはＡ３，Ａ４若しくはＡ１０，Ａ１１を有する接続モジュール並びに無効モジュール（Ｂｌｉｎｄｍｏｄｕｌ）が固定可能である。接続モジュールの、制御端子のための制御接続開口により規定される制御接続側が、ハウジング上部の、主端子のための主接続開口により規定される主接続側に対して平行に延びている。操作開口を介した制御端子への工具の進入は、ハウジング前部に対して垂直方向に得られる。ここでも制御導体の接続は、あらかじめ接続されていた、制御端子の前に延びる主導電体により阻止される。
【０００４】
ドイツ連邦共和国実用新案第２９６１０３２９号明細書により、２つの対向接続部との電気的な接続のための差込み可能な接続モジュールが公知である。前記対向接続部は、ハウジング内部で磁石駆動装置の磁石コイルに接続されている。ハウジング前部に対して開かれた対向接続部は、ハウジング前部の方向に見て主端子の平面の前に位置しており、主端子の主接続開口は、ハウジング前部に対して垂直方向に延びるハウジング側部内に形成されている。
【０００５】
発明の説明
そこで本発明の課題は、主導電体が既に接続されている場合の制御導体の接続を簡易化することである。
【０００６】
冒頭で述べた形式の接触器から出発して、前記課題は、本発明によれば、請求項１の特徴部により解決され、従属請求項には、本発明のさらに有利な発展形を見ることができる。
【０００７】
接続モジュールが次のように、すなわち、制御端子が、ハウジング前部の方向に見て主端子の前に位置するように形成されており、ハウジング上部に配置されている。このことは、時間がかかりコストの原因となる、既に接続された主導電体による妨害なしに制御導体の接続を可能にする。制御端子は、接続導体を介して、内部の制御ブシュに電気的に接続されており、これらの制御ブシュ自体はコイル接続部に接続されている。このことは、種々異なった構成サイズの接触器のために等しい構成サイズの接続モジュールを広範囲に使用することを可能にする。
【０００８】
本発明の有利な発展形では、接続モジュールは、前側のカバー部分と、裏側のベースとを有している。カバー部分内には、工具の進入のために設けられた、制御端子のための操作開口が形成されている。接続導体は、裏側でベースから主ハウジング内へ進入する。カバー部分とベースとを接続する場合には、有利には係止結合装置を介して、カバー部分とベースとの間に挿入された制御端子が固定される。接続モジュールは、ハウジング上部に取り付けられ、固定される。有利にはカバー部分とベースとの間に残された側方の切欠きが制御接続開口として働く。
【０００９】
一方では特により小さい接触器のためには、制御端子が条片状に形成された接続導体に一体的に接続されている場合には特に有利である。他方では特により大きい接触器のためには、制御端子が、条片状に形成された接続導体の、制御端子側の導体端部を収容するための爪状のナイフ形ブシュへ移行する場合には有利である。
【００１０】
有利な発展形が、制御端子から内部へ、接続モジュールの外側へ延長部が出ており、これらの延長部内にブシュ状の切欠きが設けられており、これらのブシュ状の切欠き内には、カバー部分内に形成された差込み開口を介して、付加モジュール、例えば保護回路を磁石コイルに接続することができる。
【００１１】
次に本発明の実施の形態を図面につきさらに詳しく説明する。
【００１２】
図１及び図２は、中規模までの小さい定格電流のための３極の接触器１０を示している。この接触器１０は主ハウジング１１により取り囲まれており、この主ハウジング１１は、ハウジング下部１２と、このハウジング下部１２に係止可能なハウジング上部１３とから成っている。このハウジング上部１３は、ハウジング前部１５でハウジングカバー１４により閉じられている。接触器１０は３つの主コンタクトを有しており、これらの主コンタクトはハウジング上部１３内で支承されている。主コンタクトは極毎の固定コンタクト対から成っており、これらの固定コンタクト対は、可動なコンタクトブリッジにより接続可能になっている。固定コンタクトは、給電側若しくは負荷側の主端子１８に接続されている。これらの主端子１８は、向かい合った両方の主接続側２０で、主接続開口２２を介して、接続したい主導電体のためにアクセス可能になっている。主コンタクト１８は、ハウジングカバー１４内に設けられた前側のねじ込み開口２４を介してスクリュドライバにより操作することができる。さらに接触器１０は磁石駆動装置２６を有している。この磁石駆動装置２６は、ハウジング下部１２内に固定されたＵ字形の磁石ヨーク２７、この磁石ヨーク２７の両方の外側脚部を２つの部分コイルにより環状係合する磁石コイル２８、並びにコンタクトブリッジに連結された磁石アンカ２９とから成っている。
【００１３】
ハウジング上部１３がハウジング側部１６を有しており、このハウジング側部１６は、ハウジング前部１５に対して垂直方向にも主接続側２０に対して垂直方向にも延びている。ハウジング側部１６は、向かい合ったハウジング側部１７の方向に、一貫した段部１９の形成下に後方へ引き込まれている。この段部１９の下方には、ハウジング上部１３内に配置された補助コンタクトのための補助端子２５が設けられている。段部１９の内部では接続モジュール３０がハウジング上部１３に固定されており、この場合に、主ハウジング１１のハウジング前部１５と揃っている。接続モジュール３０は、さらに詳しく述べようとしている形式で、磁石コイル２８と制御導体との電気的な接続を形成するために働く。このためには、接続モジュール３０は、向かい合った制御接続側３１に制御接続開口３２を有しており、これらの制御接続開口３２を介して、制御導体を制御端子４０内へ挿入することができる。制御端子４０は、有利にはねじ込み端子又はケージ型引張りばね端子（Ｋａｅｆｉｇｚｕｇｆｅｄｅｒｋｌｅｍｍｅｎ）の形で構成されている。制御導体の接続又は接続解除時に制御端子４０を操作するためには、接続モジュール３０内に、工具を挿入するための前側の操作開口３３が設けられている。制御端子４０は、ハウジング前部１５の方向に見て主端子１８の前に位置している。このような有利な空間的配置により、通常のように既に接続された主導電体において、制御接続開口３２が妨げられずに制御導体のためにアクセス可能である。
【００１４】
図３、図４及び図５には、接続モジュール３０が詳細に示されている。この接続モジュール３０は、ベース３４、前側のカバー部分３５及び両方の制御端子４０から成っている。これらの制御端子４０は、組み立てられた場合にはベース３４とカバー部分３５との間に固定され、この場合にカバー部分３５の係止突起３６がベース３４の係止開口３７内に係止する。互いに係止されたカバー部分３５とベース３４との間には制御接続開口３２が設けられた状態になる。それぞれの制御端子４０は、カバー部分３５に向いていない方向に、条片状の接続導体４１へ一体的に移行する。これらの接続導体４１は、貫通開口３８を介して裏側でベース３４から外側へ出る。それぞれの制御端子４０は、カバー部分３５の内部へ、内側方向に条片状の延長部４２へ一体的に移行する。これらの延長部４２は、端部側で、それぞれ１つのスリット状のブシュの形の切欠き４３の形成下に端部を広げられている。切欠き４３は、接続モジュール３０が組み立てられた状態では、カバー部分３５内の前側に形成された、スリット状の差込み開口４４の延長部内に位置している。カバー部分３５からは、２つの組付けフック３９が突出しており、これらの組付けフック３９は、ハウジング上部１３の対応した収容部内に係合する。
【００１５】
図２によれば、ハウジング下部１２内には２つの制御ブシュ４５が固定されており、これらの制御ブシュ４５は磁石コイル２８のコイル端部に導電性に接続されている。接続モジュールが、組み立てられた主ハウジング１２のハウジング上部１３に取り付けられた場合には前記接続導体４１の自由な端部がそれぞれ１つの制御ブシュ４５内に係合する。これにより、導電性の接続が、制御端子４０と磁石コイル２８との間に形成されている。
【００１６】
図１には、接続モジュール３０に付加モジュール９０を取り付けることができることが示唆されている。この付加モジュール９０は２つの裏側の接続ピン９４を有している。付加モジュール９０の取付け時には、前記接続ピン９４は差込み開口に貫通係合し、接続モジュール３０の内部でブシュ状の切欠き４３とコンタクトする。これにより、付加モジュール９０は磁石コイル２８に導電性に接続されている。付加モジュール９０内には、有利には磁石コイル２８のための保護回路が格納されている。
【００１７】
図６は、中規模及びより大きい定格電流のための３極の接触器５０を示している。この接触器５０には、ハウジング下部（図示していない）と、ハウジング前部５５でハウジングカバー５４により閉鎖可能なハウジング上部５３とから成る主ハウジング５１が設けられている。主端子５８が、向かい合った両方の主接続側６０で主接続開口６２を介してアクセス可能である。さらにこの接触器５０は磁石駆動装置を有しており、この磁石駆動装置のうちの、コイルパッケージにより示唆された磁石コイル６８のみが示されている。
【００１８】
ハウジング上部５３はハウジング側部５６を有しており、このハウジング側部５６は、ハウジング前部５５に対して垂直方向にも、主接続側６０に対して垂直方向にも延びている。図６では、ハウジング側部５６の、垂直方向に延びる中央の部分が、接触器５０の内部構造の部分を見えるようにするために図面では取り除かれている。ハウジング側部５６は、向かい合ったハウジング側部５７の方向に、両側で制限された段部５９の形成下に後方へ引き込まれている。段部５９の内部では、接続モジュール７０がハウジング上部５３に固定されており、この場合にハウジング前部５５から突出している。図６及び図７によれば、接続モジュール７０は、向かい合った制御接続側７１に制御接続開口７２を有しており、これらの制御接続開口７２を介して制御導体を制御端子８０内へ挿入することができる。制御端子８０は、有利にはねじ込み端子又はケージ型引張りばね端子の形で形成されている。制御導体の接続又は接続解除時に制御端子８０を操作するためには、接続モジュール７０内に前側の操作開口７３が設けられている。制御端子８０は、ハウジング前部５５の方向に見て主端子５８の前に位置している。このような有利な空間的な配置により、通常のように既に接続された主導電体において、制御接続開口７２が妨げられずに制御導体のためにアクセス可能である。
【００１９】
図７、図８及び図９には、接続モジュール７０が詳細に示されている。この接続モジュール７０は、ベース７４、前側のカバー部分７５及び両方の制御端子８０から成っている。これらの制御端子８０は、組み立てられた場合にはベース７４とカバー部分７５との間に固定される。この場合に、カバー部分７５の係止突起７６がベース７４の係止開口７７内に係合する。互いに係止されたカバー部分７５とベース７４との間には、制御接続開口７２が設けられた状態になる。それぞれの制御端子８０は、カバー部分７５に向いていない方向に爪状のナイフ形ブシュ８６へ一体的に移行する。それぞれの制御端子８０は、カバー部分７５の内部で内側方向に、条片状の延長部８２へ一体的に移行する。これらの延長部８２は、それぞれ１つのスリット状のブシュの形の切欠き８３を有している。これらの切欠き８３は、接続モジュール７０が組み立てられた状態では、スリット状の差込み開口８４の延長部内に位置している。これらの差込み開口８４はカバー部分７５内の前側に形成されている。ベース７４には、それぞれの制御接続側７１に組付けフック７９が形成されている。段部５９内に挿入された接続モジュール７０は、ハウジング上部５３を続いて閉鎖する場合に、ハウジングカバー５４の組付けフック７９によりロックされる。
【００２０】
さらに２つの条片状の接続導体８１が設けられており、これらの接続導体８１は両方の導体端部８７及び８８で二重に逆向きに折り曲げられている。磁石コイル６８のコイルパッケージは２つの制御ブシュ８５を有しており、これらの制御ブシュ８５はコイル端部に導電性に接続されている。接続モジュール７０と、組み立てられた主ハウジングのハウジング上部７３とが結合された場合には、接続導体８１は、コイル側の導体端部８８によりそれぞれ１つの制御ブシュ８５にコンタクトし、かつ制御端子側の導体端部８７により、十分な固有ばね定数を設けられたナイフ形ブシュ８６にコンタクトする。この場合に、接続導体８１は裏側でベース７４内へ進入する。これにより、導電性の接続が制御端子８０と磁石コイル６８との間に形成される。接続導体８１の対応した幾何学的な調整により、接続モジュール７０を種々異なった構成サイズの接触器に取り付けることができる。差込み開口８４及びブシュの形の切欠き８３により、接続モジュール７０は、図１に示した付加モジュール９０を収容するために適している。
【図面の簡単な説明】
【００２１】
【図１】本発明による接触器の第１の構成の完全に組み立てられた状態を示す図である。
【図２】図１のよる接触器の不完全に組み立てられた状態を示す図である。
【図３】図１による組み立てられた接続モジュールを示す図である。
【図４】図１による組み立てられた接続モジュールを示す別の図である。
【図５】図３及び図４による接続モジュールの分解されたところを示す拡大図である。
【図６】本発明による接触器の第２の構成を示す部分図である。
【図７】図６による組み立てられた接続モジュールを示す図である。
【図８】図７による接続モジュールが分解されたところを示す拡大図である。
【図９】図６による接続導体を個別に示す図である。
【図１】
2007523453.tif 000003
【図２】
2007523453.tif 000004
【図３】
2007523453.tif 000005
【図４】
2007523453.tif 000006
【図５】
2007523453.tif 000007
【図６】
2007523453.tif 000008
【図７】
2007523453.tif 000009
【図８】
2007523453.tif 000010
【図９】
2007523453.tif 000011
【国際調査報告】
2007523453.tif 000012
2007523453.tif 000013
2007523453.tif 000014
2007523453.tif 000015
2007523453.tif 000016
2007523453.tif 000017